(57)【特許請求の範囲】
【請求項１】
室内空間の周囲を囲う状態で複数の壁パネルを床パネル上に立設させてなるルームユニット構造であって、
前記室内空間がクリーンルームの前室であると共に、当該室内空間の天井部を覆う天井パネルの上面に、空気を浄化して前記室内空間へ供給するファンフィルタユニットが設けられており、
前記床パネルの上面に、前記壁パネルの位置決め保持を行う位置決め保持部が、所定の配置間隔で格子状に複数形成されており、
前記壁パネルとして、前記室内空間の全外周を囲う外側壁パネルと、その内側に配置されて下方側に空気導入口が形成された内側壁パネルとが設けられて、それらの間に前記ファンフィルタユニットに通じる還流通路が形成されているルームユニット構造。
【請求項２】
前記位置決め保持部が、前記壁パネルの下端部を嵌め込み可能なパネル受溝として形成されており、
前記床パネルは、前記室内空間を構築する箇所に対応する床面上に、複数の溝形成床パネル部材を隣接間で密着させながら敷き並べて構成されており、
夫々の前記溝形成床パネル部材の上面には、複数の前記パネル受溝が等間隔で格子状に形成されており、
前記溝形成床パネル部材を複数床面上に敷き並べて構成された前記床パネル全体の上面において、複数の前記パネル受溝が等間隔で格子状に形成されている請求項１に記載のルームユニット構造。
【請求項３】
前記溝形成床パネルの上面において、平面視矩形の凸部が複数配置されて当該凸部の隣接間に前記パネル受溝が形成されており、当該溝形成床パネルの外周縁部に前記凸部が配置されている請求項２に記載のルームユニット構造。
【請求項４】
前記室内空間が、クリーンルームの前室として設けられる複数の室内空間である請求項１〜３の何れか１項に記載のルームユニット構造。
【発明の詳細な説明】
【技術分野】
【０００１】
本発明は、室内空間の周囲を囲う状態で複数の壁パネルを床パネル上に立設させてなるルームユニット構造に関する。
【背景技術】
【０００２】
上記ルームユニット構造として、クリーンルームやその前室等として設けられた室内空間の周囲を覆う状態で複数の壁パネルを床パネル上に立設させてなるものが知られている（例えば、特許文献１を参照。）。
特許文献１に記載のルームユニット構造では、床面に複数の床パネル（１２）を敷設し、その上に壁パネルとしてのパーティション（２４）を立設して、クリーンルームないし非クリーンルーム（２０，２２）を気密に仕切るように構成されている。また、このルームユニット構造では、モジュール化された複数のファンユニット（１４）を天井面に並設し、ファンユニット（１４）の短辺長さに幅寸法が合わせられた複数の床パネル（１２）を床面に並設して、ファンユニット（１４）間の吊り金具（１６）と床パネル（１２）の継ぎ目とに亘って、パーティション（２４）が設置されている。
【先行技術文献】
【特許文献】
【０００３】
【特許文献１】特開平１０−２０５１５３号公報
【発明の概要】
【発明が解決しようとする課題】
【０００４】
上記のように床パネルの継ぎ目に沿って壁パネルを設置する場合には、当該継ぎ目を目安にして壁パネルの位置決めを行うことができるものの、間取りや設置場所の変更等を行うにあたり室内空間のパターンに制限が生じるという問題があった。
また、様々なパターンに適応する室内空間を構築するために、床パネルの幅寸法よりも狭い間隔で壁パネルの位置決めを行う場合には、品質を確保するべく熟練の技術が必要となり、更には工期が長期化するという問題があった。
【０００５】
この実情に鑑み、本発明の主たる課題は、室内空間の周囲を囲う状態で複数の壁パネルを床パネル上に立設させてなるルームユニット構造において、工期短縮や品質向上を実現しながら、様々なパターンに適応する室内空間を簡単に構築することができる自由度が高い技術を提供する点にある。
【課題を解決するための手段】
【０００６】
本発明の第１特徴構成は、室内空間の周囲を囲う状態で複数の壁パネルを床パネル上に立設させてなるルームユニット構造であって、
前記室内空間がクリーンルームの前室であると共に、当該室内空間の天井部を覆う天井パネルの上面に、空気を浄化して前記室内空間へ供給するファンフィルタユニットが設けられており、
前記床パネルの上面に、前記壁パネルの位置決め保持を行う位置決め保持部が、所定の配置間隔で格子状に複数形成されており、
前記壁パネルとして、前記室内空間の全外周を囲う外側壁パネルと、その内側に配置されて下方側に空気導入口が形成された内側壁パネルとが設けられて、それらの間に前記ファンフィルタユニットに通じる還流通路が形成されている点にある。
【０００７】
本構成によれば、床パネルの上面に所定の配置間隔で複数の位置決め保持部が形成されているので、そのうちの適当な位置決め保持部を利用して壁パネルを位置決めした状態で、床パネル上に壁パネルを保持して立設させることができる。よって、様々なパターンに適応する室内空間を簡単に構築することができる。更には、熟練の技術を持たなくしても床パネル上での壁パネルの位置決め保持が容易となり、工期短縮や品質向上を実現することができる。また、上記位置決め保持部の配置間隔に応じて壁パネルの幅寸法を基準化することで、壁パネルの種類の削減によるコストダウンを図ることができる。
従って、本発明により、室内空間の周囲を囲う状態で複数の壁パネルを床パネル上に立設させるにあたり、工期短縮や品質向上を実現しながら、様々なパターンに適応する室内空間を簡単に構築することができる自由度の高いルームユニット構造を提供することができる。
更に、本構成によれば、床パネル上面において、複数の位置決め保持部が格子状に形成されているので、互いに直交する２方向の何れかに壁パネルの面を沿わせて位置決めする形態で、室内空間の周囲を平面視で矩形状に囲う複数の壁パネルを床パネル上に簡単に立設することができる。
更に、本構成によれば、生産用の主室であるクリーンルームに対して隣接する前室として、大きさや形等において様々なパターンの室内空間を設ける場合において、その様々なパターンに適応する前室を簡単に構築することができる。
【０００８】
本発明の第２特徴構成は、前記位置決め保持部が、前記壁パネルの下端部を嵌め込み可能なパネル受溝として形成されており、
前記床パネルは、前記室内空間を構築する箇所に対応する床面上に、複数の溝形成床パネル部材を隣接間で密着させながら敷き並べて構成されており、
夫々の前記溝形成床パネル部材の上面には、複数の前記パネル受溝が等間隔で格子状に形成されており、
前記溝形成床パネル部材を複数床面上に敷き並べて構成された前記床パネル全体の上面において、複数の前記パネル受溝が等間隔で格子状に形成されている点にある。
【０００９】
本構成によれば、床パネルの上面に形成されたパネル受溝に、壁パネルの下端部を嵌め込む形態で、当該壁パネルを容易に位置決めすることができるので、一層の工期短縮や品質向上を図ることができる。また、壁パネルの下端部がパネル受溝に嵌め込まれるので、当該壁パネルの床パネルの上面への固定を簡略化又は省略することができ、一層の工期短縮やコストダウンを図ることができる。
【００１０】
本発明の第３特徴構成は、前記溝形成床パネルの上面において、平面視矩形の凸部が複数配置されて当該凸部の隣接間に前記パネル受溝が形成されており、当該溝形成床パネルの外周縁部に前記凸部が配置されている点にある。
【００１２】
本発明の第４特徴構成は、前記室内空間が、クリーンルームの前室として設けられる複数の室内空間である点にある。
【００１３】
本構成によれば、生産用の主室であるクリーンルームに対して隣接する前室として、大きさや形等において様々なパターンの複数の室内空間を設ける場合において、その様々なパターンに適応する前室を簡単に構築することができる。
【図面の簡単な説明】
【００１４】
【図１】ルームユニット構造の概略構成図
【図２】床パネルとして床面上に敷設される溝形成床パネル部材の概略構成図
【図３】クリーンルームの前室のパターン変更の例を説明する図
【発明を実施するための形態】
【００１５】
本発明の実施形態について図面に基づいて説明する。
図１に示すように、本実施形態のルームユニット構造１００は、室内空間Ｒの周囲を囲う状態で複数の壁パネル２０を床パネル１０上に立設させてなるものとして構成されている。例えば、図３に示すように、かかる室内空間Ｒは、半導体や加工食品等の生産工場として構築されたクリーンルームＣＲの前室Ｒ１〜Ｒ７として設けられる複数の室内空間Ｒとされている。尚、クリーンルームＣＲの前室Ｒ１〜Ｒ７としては、当該クリーンルームＣＲに対する物の搬入出を行うための前室Ｒ１，Ｒ２や、当該クリーンルームＣＲに対する人の入退場を行うための脱衣室Ｒ３，Ｒ７、着衣室Ｒ４，Ｒ６、緩衝室Ｒ５等が設けられる。また、このような脱衣室Ｒ３，Ｒ７や着衣室Ｒ４，Ｒ６は、男性用（脱衣室Ｒ３及び着衣室Ｒ４）及び女性用（脱衣室Ｒ７及び着衣室Ｒ６）が夫々設けられている。
【００１６】
そして、このような前室Ｒ１〜Ｒ７は、クリーンルームＣＲの形状及びレイアウト変更や作業者の人員構成の変更等により、例えば図３（ａ）に示すパターンから図３（ｂ）に示すパターンに変更するというように、間取りや設置場所を変更する場合がある。そして、本実施形態のルームユニット構造１００は、このような室内空間Ｒの間取りや設置場所の変更等を行うにあたり、工期短縮や品質向上を実現しながら、様々なパターンに適応する室内空間Ｒを簡単に構築することができるように構成されており、その具体的構成について、図１及び図２に基づいて以下に説明する。
【００１７】
ルームユニット構造１００は、少なくとも室内空間Ｒを構築する箇所に対応する床面上に敷設された床パネル１０を有する。この床パネル１０は、当該床面上に、複数の溝形成床パネル部材１１等を隣接間で密着させながら敷き並べて構成されている。
この溝形成床パネル部材１１は、特に図２に示すように、正方形の板状に形成されており、その上面には凹状のパネル受溝１０ａが等間隔で格子状に形成されている。そして、この溝形成床パネル部材１１を複数床面上に敷き並べて構成された床パネル１０全体において、上記パネル受溝１０ａが等間隔で格子状に形成されることになる。
【００１８】
ルームユニット構造１００は、所望の室内空間Ｒの周囲を平面視で矩形状に囲う状態で床パネル１０上に立設される複数の壁パネル２０を有する。この壁パネル２０は、特に図２に示すように、上述したパネル受溝１０ａに嵌め込み可能な厚みを有する長方形の板状に形成されている。そして、この壁パネル２０は、下端部２０ａを床パネル１０の上面に形成されたパネル受溝１０ａに嵌め込む形態で、床パネル１０上の所望の箇所に立設される。即ち、床パネル１０の上面に形成されたパネル受溝１０ａは、壁パネル２０の位置決めと保持とを容易且つ適切に行うことができる位置決め保持部Ａとして機能する。そして、室内空間Ｒの間取りや設置場所を変更する場合には、パネル受溝１０ａから取り外した壁パネル２０を別の位置のパネル受溝１０ａに嵌め込む形態で、壁パネル２０の設置位置を変更することができる。
尚、このように床パネル１０上に立設された壁パネル２０は、図示は省略するが、別途設けられた金具等により適切に固定することができる。
【００１９】
更に、図１に示すように、ルームユニット構造１００は、室内空間Ｒの天井部を覆う状態で複数の壁パネル２０の上端部に架設される天井パネル３０を有する。
また、床パネル１０において、壁パネル２０を立設しない箇所については、上述した溝形成床パネル部材１１を敷き並べて構成しても構わないが、図１に示すように、上述したパネル受溝１０ａが形成されていない平板状の平板床パネル部材１２を敷き並べて構成しても構わない。また、図示は省略するが、この床パネル１０の上面には、少なくともパネル受溝１０ａを覆い隠す状態で床マットを敷設しても構わない。
【００２０】
以上がルームユニット構造１００の基本構成であるが、本実施形態のルームユニット構造１００は、室内空間ＲをクリーンルームＣＲの前室Ｒ１〜Ｒ７として機能させるべく、室内空間Ｒの清浄度を高いものに維持するための構成を有しており、その詳細について以下に説明を加える。
【００２１】
壁パネル２０として、外側壁パネル２１とその内側（室内空間Ｒ側）に配置された内側壁パネル２２とが設けられている。これら外側壁パネル２１と内側壁パネル２２との間には、還流通路２４が形成されている。
外側壁パネル２１は、室内空間Ｒの全外周を囲う状態で設けられている。
一方、内側壁パネル２２は、外側壁パネル２１よりも高さが低く形成されており、室内空間Ｒの全外周のうちの少なくとも一辺において外側壁パネル２１の内側に配置されている。そして、この内側壁パネル２２により、室内空間Ｒと還流通路２４とが区画されることになる。
また、内側壁パネル２２の下方側には、室内空間Ｒから還流通路２４へ室内空気を導入するための空気導入口２３が形成されている。
【００２２】
天井パネル３０として、上側天井パネル３１とその下方側に配置された下側天井パネル３２とが設けられている。これら上側天井パネル３１と下側天井パネル３２との間には、天井空間３９が形成されている。
上側天井パネル３１は、全外周を囲う外側壁パネル２１の上端部に架設されて設けられており、これにより天井空間３９の上方開放部が塞がれている。
この上側天井パネル３１には、後述する照明機器３８等の電気機器に電力を供給するための電源接続部３５や、外気を天井空間３９に導入するための給気ダクトの接続部３３や、天井空間３９の空気を外部に排出するための排気ダクトの接続部３４等が設けられている。
【００２３】
一方、下側天井パネル３２は、室内空間Ｒの全外周の４辺のうち、内側壁パネル２２が配置されていない辺側では外側壁パネル２１の内面に端部を当接させ、内側壁パネル２２が配置されている辺側では内側壁パネル２２の上端部に端部を当接させる形態で、内側壁パネル２２の上端部に架設させて配置されている。そして、この下側天井パネル３２により、室内空間Ｒと天井空間３９とが区画されることになる。また、外側壁パネル２１と内側壁パネル２２との間に形成された還流通路２４の上方開放部は下側天井パネル３２により覆われていないため、還流通路２４と天井空間２９とは連通した状態となる。
【００２４】
下側天井パネル３２の上面には、照明機器３８やファンフィルタユニット３６が設けられている。
当該ファンフィルタユニット３６は、ＨＥＰＡフィルタやＵＬＰＡフィルタ等で構成されたフィルタ３６ｂと、当該フィルタ３６ｂに空気を導入するファン３６ａとから構成されている。そして、このファンフィルタユニット３６のファン３６ａを作動させることで、室内空間Ｒの空気が、空気導入口２３を介して還流通路２４に取り込まれ、その空気が天井空間３９を介してファンフィルタユニット２５に供給されることになる。そして、ファンフィルタユニット３６に供給された空気は、フィルタ３６ｂを通過して浄化された上で、下側天井パネル３２に形成された空気供給口（図示省略）を介して室内空間Ｒにダウンフロー状態で戻されることになる。即ち、室内空間Ｒの空気をファンフィルタユニット３６で浄化しながら循環することで、室内空間Ｒの清浄度を高いものに維持している。
【００２５】
室内空間Ｒの床パネル１０上には、ベンチユニット４０が設けられている。
ベンチユニット４０は、内部に空間が形成された箱状のベンチ本体４１を有し、当該ベンチ本体４１は、水平方向に沿った長尺の直方体に形成されている。そのベンチ本体４１の高さ等の大きさは、利用者が靴の脱ぎ履きを行う際に上面に座ることができる程度のものとして適宜設定されている。更に、このベンチ本体４１は、長手方向における一端側が開放されており、その開放部が内側壁パネル２２の下方に形成された空気導入口２３に連設するように配置されている。また、ベンチ本体４１の側面には、室内空間Ｒから空気を導入するための空気導入口４２が形成されている。よって、室内空間Ｒにおいて利用者がベンチ本体４１に座った状態で靴の脱ぎ履きを行う場合、その靴の周辺空気を、その近傍に配置された空気導入口４２からベンチ本体４１内の空間に取り込んで、還流通路２４及び天井空間３９を介してファンフィルタユニット３６に供給することができる。
【００２６】
〔別実施形態〕
（１）上記実施形態では、本実施形態のルームユニット構造１００により、クリーンルームＣＲの前室Ｒ１〜Ｒ７として設けられる複数の室内空間Ｒを構築する例を説明したが、別の用途の室内空間を構築する目的で、本発明のルームユニット構造を採用しても構わない。また、上記実施形態では、室内空間Ｒの間取りや設置場所を変更するにあたり、壁パネル２０の設置位置を変更する場合について説明したが、当然、新設の室内空間Ｒを構築する場合にも、本発明に係るルームユニット構造を適用して、床パネルや壁パネル等の部品共通化等を図ることができる。
【００２７】
（２）上記実施形態では、床パネル１０として床面上に敷設される溝形成床パネル部材１１の上面に格子状のパネル受溝１０ａを形成し、そのパネル受溝１０ａに壁パネル２０の下端部２０ａを嵌め込む形態で、当該パネル受溝１０ａを壁パネル２０の位置決め保持を行うための位置決め保持部Ａとして機能させるように構成したが、この位置決め保持部Ａの形状や配置等の構成については、適宜改変しても構わない。
例えば、溝形成床パネル部材１１の上面において、格子状ではなく、互いに平行で等間隔にパネル受溝を配置しても構わない。この場合、パネル受溝の延出方向が壁パネルの面内方向に沿うように、溝形成床パネル部材の向きを調整して床面上に敷設すれば、壁パネルの下端部を溝形成床パネル部材の上面に形成されたパネル受溝に嵌め込むことができる。
床パネルの上面に、パネル受溝ではなく凸部を位置決め保持部として形成し、その凸部の縁に壁パネルの下端部の縁を当接させる形態で、壁パネルの位置決め保持を行っても構わない。
床パネル上面における位置決め保持部の配置間隔については、適宜設定することができ、例えば等間隔ではなく所望の間隔で設置することもできる。
【００２８】
（３）上記実施形態では、床パネル１０の上面に形成されたパネル受溝１０ａを、壁パネル２０の位置決め保持を行う位置決め保持部Ａとしてのみ利用したが、それに加えて、パネル受溝１０ａを別の用途として利用しても構わない。例えば、当該パネル受溝を、壁パネルの内側（室内空間Ｒ側）に形成された室内空間の空気を壁パネルの外側（室内空間Ｒと反対側）に形成された還流通路に導入するための空気導入部として利用することもできる。
【符号の説明】
【００２９】
１０          床パネル
１０ａ        パネル受溝
１１          溝形成床パネル部材（床パネル）
２０          壁パネル
２０ａ        下端部
２１          外側壁パネル（壁パネル）
２２          内側壁パネル（壁パネル）
１００        ルームユニット構造
Ａ            位置決め保持部
ＣＲ          クリーンルーム
Ｒ            室内空間
Ｒ１〜Ｒ７    前室
【図１】
0006987565.tif 000002
【図２】
0006987565.tif 000003
【図３】
0006987565.tif 000004